(57)【要約】
　【課題】　お札の幅の大小および厚みの大小に対してガタつくことなく保持する。
　【解決手段】　略平板状の基台１と、基台１上に立設され前面が垂直またはやや斜め後方に傾斜した壁掛台２と、断面コ字形をして壁掛台２の前面に保持されて神札の幅方向両側端を抱えるように保持する左右一対の受板１１，１２とを備えたものにおいて、受板１１，１２が当接される壁掛台２の前面の２以上の箇所に横長に形成された長孔６〜９と、長孔６〜９に対応する受板１１，１２部分に形成された雌ねじ孔２１〜２４と、長孔６〜９の背面側から長孔６〜９を通して雌ねじ孔２１〜２４に螺着されるボルト１３〜１６と、受板１１，１２の内側の後部に上下方向に取り付けられて前後方向に湾曲したばね板１７，１８とを備える。
【選択図】　図１
0003100143.tif 000002
【実用新案登録請求の範囲】
【請求項１】
略平板状の基台と、該基台上に立設され前面が垂直またはやや斜め後方に傾斜した壁掛台と、断面コ字形をして前記壁掛台の前面に保持されて神札の幅方向両側端を抱えるように保持する左右一対の受板とを備えたお札立てにおいて、
　前記受板が当接される前記壁掛台の前面の２以上の箇所に横長に形成された長孔と、
　該長孔に対応する前記受板部分に形成された雌ねじ孔と、
　前記長孔の背面側から長孔を通して前記雌ねじ孔に螺着されるボルトと、
　前記受板の内側の後部に上下方向に取り付けられて前後方向に湾曲したばね板と、
　を備えたことを特徴とするお札立て。
【請求項２】
請求項１に記載のお札立てにおいて、
　前記壁掛台の根元部の前方となる前記基台にご安置したお札の下端部を収納する切り抜き孔を形成したことを特徴とするお札立て。
【請求項３】
請求項１または２に記載のお札立てにおいて、
　前記基台の後部にご安置したお札の上方を覆うお社を立設したことを特徴とするお札立て。
【請求項４】
請求項１または２または３に記載のお札立てにおいて、
　前記基台の前部にご安置したお札を照射する豆電球を設置したことを特徴とするお札立て。
【考案の詳細な説明】
【技術分野】
【０００１】
　本考案は、神札等のお札をご安置するお札立てに関し、詳しくは横幅、厚みの異なるお札に対してもきちんと立てた状態で保持することのできるお札立てに関する。
【背景技術】
【０００２】
　従来のお札立てとしては、特許文献１に記載のお札立てがある。これは、スタンド台に垂直に支持されている壁掛台の両脇にコ字形の受板をスライド自在に保持する構造であり、ご安置するお札の幅に合わせて、受板をスライドすることでお札の幅方向両端を確実に保持することができる。
【特許文献１】実開平５−２８２７４号公報
【考案の開示】
【考案が解決しようとする課題】
【０００３】
　上述した特許文献１に記載のお札立ては、大きさが様々であるお札の幅に合わせて保持することができるものの、厚みの大小については考慮されておらず、お札の両端を保持する受板は厚いお札にも対応できるように、充分に大きい内側寸法を備えている。そのため、受板の内側寸法に近い充分に厚いお札の場合は安定して保持されるが、厚みの薄いお札の場合は受板内の厚み方向に隙間が生じて、お札が前後方向にガタつき不安定になるという問題があった。そこで、本考案は、お札の幅の大小に合わせて保持するとともに、厚みの大小に対してもガタつくことなく保持することができるお札立てを提案することを目的とした。
【課題を解決するための手段】
【０００４】
　上記課題を解決するために、本考案のお札立ては、略平板状の基台と、該基台上に立設され前面が垂直またはやや斜め後方に傾斜した壁掛台と、断面コ字形をして前記壁掛台の前面に保持されて神札の幅方向両側端を抱えるように保持する左右一対の受板とを備えたものにおいて、前記受板が当接される前記壁掛台の前面の２以上の箇所に横長に形成された長孔と、該長孔に対応する前記受板部分に形成された雌ねじ孔と、前記長孔の背面側から長孔を通して前記雌ねじ孔に螺着されるボルトと、前記受板の内側の後部に上下方向に取り付けられて前後方向に湾曲したばね板とを備える。なお、前記壁掛台の根元部の前方となる前記基台にご安置したお札の下端部を収納する切り抜き孔を形成することが好ましい。また、前記基台の後部にご安置したお札の上方を覆うお社を立設することも可能である。さらに、前記基台の前部にご安置したお札を照射する豆電球を設置することも可能である。
【考案の効果】
【０００５】
　以上述べたように本考案によれば、受板が当接される壁掛台の前面の２以上の箇所に横長に長孔を形成するとともに、この長孔に対応する受板部分に雌ねじ孔を形成して、長孔の背面側から長孔を通して雌ねじ孔にボルトを螺着することで、受板をご安置するお札の幅に合わせて内側に寄せて確実に保持することができる。さらに、受板の内側の後部に前後方向に湾曲したばね板を上下方向に取り付けたことで、ご安置するお札の厚さに大小があっても確実に受板の内側前部に押圧保持することができる。
【考案を実施するための最良の形態】
【０００６】
　以下、図に基づいて本考案の実施形態を説明する。
　図１は本考案のお札立ての実施形態を示す側面図であり、図２は図１を左側から見た正面図であり、図３は図１のＡ−Ａ線断面図であり、図４は図２から受板を除去した状態を示す正面図である。これらの図において、１はステンレス板の前後端部を下方へ折曲して形成された基台であり、その上面の中心位置に、やはりステンレス板を台形状に折曲して形成された壁掛台２が、基台１の下側から頭部がプラスチックにより形成された化粧ビス３〜５により基台１に固定されている。壁掛台２の前面は垂直または上端がやや斜め後方に傾斜しており、その前面には、図４に示されるように、上下２段の４箇所に横方向の長孔６〜９が形成されている。
【０００７】
　また、壁掛台２の前面には、ステンレス板により形成され断面コ字形をした左右一対の受板１１，１２が当接され、受板１１，１２の壁掛台２との当接面の前記長孔６〜９に対応する位置には、雌ねじ孔２１〜２４が形成されている。受板１１，１２は、壁掛台２の長孔６〜９の背面から化粧ビス１３〜１６が、雌ねじ孔２１〜２４にねじ込まれることで、横方向スライド自在にして壁掛台２に固定されている。受板１１，１２は、その内側にお札が挿入されるため、下部の左右間隔が上部の左右間隔よりも狭くなるように側面部が傾斜した形状に形成されている。受板１１，１２の内側に、お札が挿入される場合は、化粧ビス１３〜１６を緩めて、受板１１，１２を左右に開いた状態で、その内側にお札の下端を挿入し、受板１１，１２を中心側に寄せてお札を中心位置に保持した状態で、化粧ビス１３〜１６を締めつけてお札を固定する。
【０００８】
　また、受板１１，１２の内側の前後方向の間隔は、想定できる最も厚いお札の挿入が可能な間隔に形成されるとともに、その厚さ方向後部の左右端部に、前後に湾曲した板ばね１７，１８が上下方向に取り付けられている。この板ばね１７，１８の上端は、折り返され、その折り返し部分に、受板１１，１２の後部上端を差し込むことで固定される。この板ばね１７，１８を設けたことで、受板１１，１２の前後間隔よりも薄いお札が挿入されても、受板１１，１２内に挿入されたお札は、板ばね１７，１８の湾曲部により前方へ押圧されて受板１１，１２の前部側に当接され、正面からの見栄えが良くなる。
【０００９】
　なお、図示しないが、基台１上であって壁掛台２の取り付け位置の前方、すなわち、受板１１，１２に挿入されたお札の下端が当接される部分を、お札の下端の断面形状に切り抜いておくことが好ましい。そうすると、ご安置したお札の下端部がその切り抜き孔内に収納されて、お札のご安置がより安定する。また、図示しないが、基台１上であって壁掛台２の取り付け位置の後方に、ご安置したお札の上方を覆うお社を立設しておくことが好ましい。そうすると、ご安置したお札の背面にお社が鎮座することで、お札の御威光をさらに増すことができる。さらに、図示しないが、基台１上であって受板１１，１２の取り付け位置の前方に、ご安置したお札を照射する豆電球を設置しておくことが好ましい。そうすると、ご安置したお札が御神灯により照らされたようになり、ご威光をさらに増すことができる。なお、豆電球の電源回路にセンサを組み込み、人が近づいたときのみ点灯するようにしたり、柏手（かしわで）が打たれときに点灯するように構成することも可能である。
【産業上の利用可能性】
【００１０】
　本考案は、神札等のお札をご安置する以外には、基台を大きくして安定性を増せば、卒塔婆を立てておくことにも利用可能である。また、室内インテリアとして、お札状の形態をしたオブジェを陳列する場合にも利用可能である。
【図面の簡単な説明】
【００１１】
【図１】本考案のお札立ての実施形態を示す側面図である。
【図２】図１を左側から見た正面図である。
【図３】図１のＡ−Ａ線断面図である。
【図４】図２から受板を除去した状態を示す正面図である。
【符号の説明】
【００１２】
　　１　基台
　　２　壁掛台
　　３〜５　化粧ビス
　　６〜９　長孔
　　１１，１２　受板
　　１３〜１６　化粧ビス
　　１７，１８　板ばね
　　２１〜２４　雌ねじ孔
【図１】
0003100143.tif 000003
【図２】
0003100143.tif 000004
【図３】
0003100143.tif 000005
【図４】
0003100143.tif 000006